(57)【要約】【課題】従来の技術にあっては、方向指示器をボールの上方に配置しているためボールの位置が認識し難くなり、スイートスポットをボールの中心に合わせ難い欠点があった。【解決手段】フェースに直交し、かつ、スイートスポットよりボールの半径以上はなれたヘッドのトー部に形成した貫通孔に、指示棒を係着させたことでフェースをボールに正しく合わせ易くなり、指示棒には、複数個の目盛りを設け、狙う距離に応じた指示棒のフェースからの距離を選択でき、ティークバック量の感覚が認識できるためカップイン率の高いパターが簡単な構成で達成できる。【選択図】  図１
2006006861.tif 000002
【特許請求の範囲】
【請求項１】
フェースに直交し、かつ、スイートスポットよりボールの半径以上はなれたヘッドのトー部に形成した貫通孔に、指示棒を摺動自在に係着させたことを特徴とするパター。
【請求項２】
フェースに直交し、かつスイートスポットよりボールの半径以上はなれたヘッドのトー部に形成した貫通孔に、指示棒を着脱自在に係着させたことを特徴とするパター。
【請求項３】
指示棒には、複数個の目盛りを等間隔に設け、この指示棒を摺動範囲内の任意の定位置で保持できる手段を設けたことを特徴とする請求項１および請求項２に係わるパター。
【請求項４】
指示棒の断面形状は、丸、４角形、正６角形、何れかで形成したことを特徴とする請求項１および請求項２に係わるパター。
【請求項５】
ヘッドのヒール部には、指示棒を摺動あるいは着脱によって惹起されるスイートスポットの位置ずれを補正するためのバランスウエイトを、着脱自在に設けたことを特徴とする請求項１および請求項２に係わるパター。
【発明の詳細な説明】
【発明の詳細な説明】
【発明が属する技術分野】
【０００１】  本発明は、ゴルフのパッティングに使用されるパターに関するものである。
【背景技術】
【０００２】  一般的に、パッティングを行う場合、まず、打球の方向と距離を想定して、フェースをボールに正しく合わせ、距離に応じたテェークバックをして、ヘッドを振り子状に振り下ろしフェースのスイートスポットをボールにヒットさせる理論はあるが、特に初心者はうまく実行できないない悩みを持っている。この課題を少しでも解決する従来の技術として、特許文献１があったので、図５により説明すると、ボール５０  をヒットするフェース５１  のスイートスポットの上方に  このフェースと直交するように方向指示器５２を設け、この方向指示器の先端部がフェースよりも先端に突出させると共に、後端部はフェースよりも後方へ延長可能な伸縮棒５３を備えていて、フェースをボールの狙い方向に合わせ易くしている。【０００３】
【特許文献１】    特開平１１−３４２２３１号公報
【発明が解決しようとする課題】
【０００４】  しかし、上記従来の技術にあっては、フェースをボールの狙い方向に合わせ易くしている点は改善されるが、方向指示器をボールの上方に配置しているためボールの位置が認識し難くなり、スイートスポットがボールの中心に合わせ難い欠点がある
【課題を解決するための手段】
【０００５】  本発明は、上記課題を解決するため次のような手段を有する、１、フェースに直交し、かつ、スイートスポットよりボールの半径以上はなれたヘッドのトー部に形成した貫通孔に、指示棒をボールの狙い方向に摺動自在に係着させた。２．フェースに直交し、かつスイートスポットよりボールの半径以上はなれたヘッドのトー部に形成した貫通孔に、指示棒を着脱自在に係着させた。３．指示棒には、複数個の目盛りを等間隔に設け、この指示棒を摺動範囲内の任意の定位置で保持できる手段を設けた。４．指示棒の断面形状は、丸、４角形、正６角形、何れかで形成した。５．ヘッドのヒール部には、指示棒を摺動あるいは着脱によって惹起されるスイートスポットの位置ずれを補正するためのバランスウエイトを、着脱自在に設けた。
【発明を実施するための最良の形態】
【０００６】  ヘッドのスイートスポットがボールの中心に合わせ難い欠点を解消し、かつ、フェースをボールの狙い方向に合わせ易くするために、フェースに直交し、かつ、スイートスポットよりボールの半径以上はなれたヘッドのトー部に形成した貫通孔に、指示棒を摺動自在に係着させた、また、指示棒には、複数個の目盛りを等間隔に設け、この指示棒を摺動範囲内の任意の定位置で保持できるので、狙う距離に応じた指示棒のフェースからの距離を選択でき、ティークバック量の感覚が認識できる形態のパターをシンプルな構成で実現した。
【実施例】
【０００７】  図１と図２は、本発明の１実施例の実使用状態を示す上面図と側面図であって、１はステンレス鋼で作られたパターのヘッド本体であり、下端部にソール面８、一側部にフェース１７を形成している、このフェースのほぼ中央部にはスイートスポット７が位置する、６はフェースに直交し、かつ、このスイートスポットよりボールの半径以上はなれたトー部１８に形成した貫通孔であり、アルミ合金線材、あるいはポリカーボネート樹脂等で作られ径方向に複数個の目盛りを等間隔に設けた指示棒１５を滑嵌している（図１の矢印Ｐ方向に摺動できる）２０はトー部１８に延在して設けた突起部２に形成したネジ穴、２１はこのネジ穴の先端に穿設して貫通孔６に交差する細孔である、５はこの細孔に滑嵌した顎部と凸部を有する摺動子、３はネジ穴２０に螺合する止めネジである、４はこの止めネジ３と摺動子５の顎部間に付勢された圧縮バネである。
１０はヒール部に穿設されたネジ穴９に螺合された比重の高い金属（例えば鉛など）で作られ外周部に螺状を有するバランスウエイトである、１３はスイートスポット直上に形成した中心表示線、１４はボール、１２はホーゼル部に固着されたパターシャフトである。【０００８】  なお、図３Ａは指示棒の第１実施例であり、断面が円で径方向に細い溝１６を長手方向に等間隔に設け目盛りを形成している、この指示棒１５が貫通孔６内で摺動するとき圧縮バネ４で加圧された摺動子５の凸部が溝１６に嵌合して、この指示棒１５は貫通孔６内の所定の位置で保持される。
図３Ｂは指示棒の第２実施例であり断面が角で周方向に細い溝１６を長手方向に等間隔に設け目盛りを形成して、上記と同様の機能をするが、より方向を認識しやすい利点がある。
図３Ｃは指示棒の第３実施例であり断面が６角形で周方向に細い溝１６を長手方向に等間隔に設け目盛りを形成して上記と同様の機能をするが炎天下での使用の際、光の反射が少なく、より方向を認識しやすい利点がある。【０００９】  次に、上記構成のパターを使用して実際にパット練習を行う場合を説明すると、打球の距離と飛球線を想定した後、まず、想定した距離に応じて方向指示棒１５を貫通孔６内で摺動させてヘッド端部からの距離（図１のＬ寸法）を設定する、この場合、この指示棒に等間隔に設けた目盛りを利用することが出来る、例えば、１目盛りを１ｍと決めておけば６ｍの距離を狙うときは、目盛りを６個、図１のＬ寸法上に設定する、次に、想定した飛球線にフェースを設定するには、指示棒を飛球線より図１のＨ寸法だけ先方に合わせ中心表示線１３をボール１４の中心に合わせた後、スイートスポット７をボールの中心に合わせるとフェースは自動的に飛球線に直角にセットされる、距離に応じたテェークバックをして、ヘッドを振り子状に振り下ろしフェースのスイートスポットをボールにヒットさせるとボールはカップインされる。
【発明の効果】
【００１０】  以上説明したように本発明のパターは、フェースに直交し、かつ、スイートスポットよりボールの半径以上はなれたヘッドのトー部に形成した貫通孔に、指示棒を摺動自在に係着させたことでフェースをボールに正しく合わせ易くなり、指示棒には、複数個の目盛りを等間隔に設け、この指示棒を摺動範囲内の任意の定位置で保持できるので狙う距離に応じた指示棒のヘッド端部からの距離を選択でき、テェークバック量の感覚が認識できるため、カップイン率の高いパターが簡単な構成で達成できる形態を実現した。
【図面の簡単な説明】
【図１】  本発明の１実施例の実使用状態を示す上面図である。
【図２】  本発明の１実施例の実使用状態を示す側面図である。
【図３】  図３Ａは指示棒の第１実施例である。図３Ｂは指示棒の第２実施例である。図３Ｃは指示棒の第３実施例である。
【図４】  従来技術を示す上面図である。
【符号の説明】
１ヘッド本体、６貫通孔、１０バランスウエイト、１３中心表示線、１５指示棒、１７フェース。
【図１】
2006006861.tif 000003
【図２】
2006006861.tif 000004
【図３】
2006006861.tif 000005
【図４】
2006006861.tif 000006